(57)【要約】【課題】参加申込者にとってイベントへの参加を申し込む動機を高めることができるエントリーサービス提供装置、エントリーサービス提供システム、及び、エントリーサービス提供プログラムを提供する。【解決手段】実施形態のエントリーサービス提供装置は、割引額算出部と判定部と支払合計額算出部と送信部とを備える。割引額算出部は、選択された商品の割引額の合計を算出する。判定部は、割引額の合計が参加申込料金を超えているかを判定する。支払合計額算出部は、割引額の合計が料金を超えていない場合、選択された商品の定価の総額と参加申込料金との合計から、割引額の合計を減算した額を、支払合計額として算出し、割引額の合計が参加申込料金超えている場合、選択された商品の定価の総額を、支払合計額として算出する。送信部は、割引額の合計と支払合計額とを参加申込の手続きが完了する前に情報端末に表示させるための情報を、情報端末に送信する。【選択図】図１
2016058031.tif 000002
【特許請求の範囲】
【請求項１】
１個以上の商品から選択された商品に応じて、前記選択された商品の割引額の合計を算出する割引額算出部と、
前記割引額の合計が所定の参加申込料金を超えているか否かを判定する判定部と、
前記割引額の合計が前記参加申込料金を超えていない場合、前記選択された商品の定価の総額と、前記参加申込料金との合計から、前記割引額の合計を減算した額を、支払合計額として算出し、前記割引額の合計が前記参加申込料金を超えている場合、前記選択された商品の定価の総額を、前記支払合計額として算出する支払合計額算出部と、
前記割引額の合計と前記支払合計額とを参加申込の手続きが完了する前に情報端末に表示させるための情報を、前記情報端末に送信する送信部と、
を備えるエントリーサービス提供装置。
【請求項２】
前記商品を選択した参加申込者を特定する情報と、選択された前記商品を表す情報とを受信する受信部
を更に備える、請求項１に記載のエントリーサービス提供装置。
【請求項３】
前記送信部は、前記商品を選択した参加申込者を特定する情報に応じて、前記商品を表す情報を前記情報端末に送信する、請求項２に記載のエントリーサービス提供装置。
【請求項４】
１個以上の商品から選択された商品に応じて、前記選択された商品の割引額の合計を算出する割引額算出部と、
前記割引額の合計が所定の参加申込料金を超えているか否かを判定する判定部と、
前記割引額の合計が前記参加申込料金を超えていない場合、前記選択された商品の定価の総額と、前記参加申込料金との合計から、前記割引額の合計を減算した額を、支払合計額として算出し、前記割引額の合計が前記参加申込料金を超えている場合、前記選択された商品の定価の総額を、前記支払合計額として算出する支払合計額算出部と、
前記割引額の合計と前記支払合計額とを参加申込の手続きが完了する前に情報端末に表示させるための情報を、前記情報端末に送信する送信部と、
を有するエントリーサービス提供装置と、
前記割引額の合計を表す信号と、前記支払合計額を表す信号とを受信する受信部と、
前記受信部によって受信された前記割引額の合計と前記支払合計額とを、前記参加申込の手続きが完了する前に表示する表示部と、
を有する情報端末と、
を備えるエントリーサービス提供システム。
【請求項５】
コンピュータに、
１個以上の商品から選択された商品に応じて、前記選択された商品の割引額の合計を算出する手順と、
前記割引額の合計が所定の参加申込料金を超えているか否かを判定する手順と、
前記割引額の合計が前記参加申込料金を超えていない場合、前記選択された商品の定価の総額と、前記参加申込料金との合計から、前記割引額の合計を減算した額を、支払合計額として算出し、前記割引額の合計が前記参加申込料金を超えている場合、前記選択された商品の定価の総額を、前記支払合計額として算出する手順と、
前記割引額の合計と、前記支払合計額とを、参加申込の手続きが完了する前に表示する手順と、
を実行させるためのエントリーサービス提供プログラム。
【発明の詳細な説明】
【技術分野】
【０００１】
本発明は、エントリーサービス提供装置、エントリーサービス提供システム、及び、エントリーサービス提供プログラムに関する。
【背景技術】
【０００２】
イベントへの参加申込（エントリー）を受け付けるサービスを提供するエントリーサービス提供システムがある。参加申込者は、情報端末を操作することにより、エントリーサービス提供装置が提供するエントリーサービスサイトにアクセスして、イベントへの参加を申し込むことができる。しかしながら、従来のシステムでは、参加申込者にとってイベントへの参加を申し込む動機を高めることができなかった。
【先行技術文献】
【特許文献】
【０００３】
【特許文献１】特許第４３９９６６５号公報
【発明の概要】
【発明が解決しようとする課題】
【０００４】
本発明が解決しようとする課題は、参加申込者にとってイベントへの参加を申し込む動機を高めることができるエントリーサービス提供装置、エントリーサービス提供システム、及び、エントリーサービス提供プログラムを提供することである。
【課題を解決するための手段】
【０００５】
実施形態のエントリーサービス提供装置は、割引額算出部と、判定部と、支払合計額算出部と、送信部とを備える。割引額算出部は、１個以上の商品から選択された商品に応じて、選択された商品の割引額の合計を算出する。判定部は、割引額の合計が所定の参加申込料金を超えているか否かを判定する。支払合計額算出部は、割引額の合計が参加申込料金を超えていない場合、選択された商品の定価の総額と、参加申込料金との合計から、割引額の合計を減算した額を、支払合計額として算出し、割引額の合計が参加申込料金を超えている場合、選択された商品の定価の総額を、支払合計額として算出する。送信部は、割引額の合計と支払合計額とを参加申込の手続きが完了する前に情報端末に表示させるための情報を、情報端末に送信する。
【発明の効果】
【０００６】
実施形態のエントリーサービス提供装置、エントリーサービス提供システム、及び、エントリーサービス提供プログラムは、参加申込者にとってイベントへの参加を申し込む動機を高めることができる。
【図面の簡単な説明】
【０００７】
【図１】第１の実施形態における、エントリーサービス提供システムの図。
【図２】第１の実施形態における、商品データテーブルの図。
【図３】第１の実施形態における、性別データテーブルの図。
【図４】第１の実施形態における、年齢データテーブルの図。
【図５】第１の実施形態における、地域データテーブルの図。
【図６】第１の実施形態における、趣味データテーブルの図。
【図７】第１の実施形態における、参加申込料金データテーブルの図。
【図８】第１の実施形態における、参加申込用画像の図。
【図９】第１の実施形態における、参加申込者データテーブルの図。
【図１０】第１の実施形態における、商品選択用画像（初期画面）を表す図。
【図１１】第１の実施形態における、商品選択用画像を表す図。
【図１２】第１の実施形態における、商品選択用画像を表す図。
【図１３】第１の実施形態における、購入商品データテーブルの図。
【図１４】第１の実施形態における、商品データテーブルを事前に登録する動作を表す図。
【図１５】第１の実施形態における、エントリーサービス提供装置が支払合計額を算出する場合のエントリーサービス提供システムの動作を表す図。
【図１６】第１の実施形態における、エントリーサービス提供装置が支払合計額を算出する場合のサーバ装置の動作を表す図。
【図１７】第２の実施形態における、エントリーサービス提供システムの図。
【図１８】第２の実施形態における、情報端末が支払合計額を算出する場合のエントリーサービス提供システムの動作を表す図。
【図１９】第２の実施形態における、情報端末が支払合計額を算出する場合の情報端末の動作を表す図。
【発明を実施するための形態】
【０００８】
以下、実施形態のエントリーサービス提供装置、エントリーサービス提供システム、及び、エントリーサービス提供プログラムを、図面を参照して説明する。
（第１の実施形態）
図１は、第１の実施形態における、エントリーサービス提供システム１の図である。エントリーサービス提供システム１は、イベントへの参加申込（エントリー）を受け付けるサービスを提供するシステムである。
【０００９】
参加申込の手続きが完了する前に、イベントの参加申込料金を参加申込者に安く見せることができれば、参加申込者にとってイベントへの参加を申し込む動機を高めることができる。エントリーサービス提供システム１は、参加申込者にとってイベントへの参加を申し込む動機を高めることができる。エントリーサービス提供システム１は、参加申込者にとって、イベントへの参加を申し込む動機を高めることができるので、イベントへの参加を申し込む参加申込者を増やすことができる。
【００１０】
また、協賛企業設備の管理者等は、参加申込者に関する情報をエントリーサービス提供システム１から取得することができるので、ＡＭＴＵＬモデルにおけるトライアルユース層（試用層）を、効率的に獲得することができる。ＡＭＴＵＬとは、認知（aware）、記憶（memory）、試用(trial)、本格的使用（usage）、ブランド固定（loyalty）である。
【００１１】
エントリーサービス提供システム１は、協賛企業設備１０と、エントリーサービス提供装置２０と、情報端末３０とを備える。協賛企業設備１０と、エントリーサービス提供装置２０と、情報端末３０とは、通信回線ＮＴを介して通信可能である。なお、協賛企業設備１０は、通信回線ＮＴを介さずに専用の通信回線（不図示）を介して、エントリーサービス提供装置２０との通信を実行してもよい。また、協賛企業設備１０は、専用の通信回線（不図示）とエントリーサービス提供装置２０とを介して、情報端末３０との通信を実行してもよい。
【００１２】
協賛企業設備１０の構成を説明する。
協賛企業設備１０は、データベース１１と、通信装置１２とを備える。データベース１１は、例えば、フラッシュメモリ、ＨＤＤ（Hard Disk Drive）などの不揮発性の記憶媒体（非一時的な記憶媒体）を有する。データベース１１は、商品データテーブルを予め記憶する。
【００１３】
図２は、第１の実施形態における、商品データテーブルの図である。商品データテーブルでは、商品と、商品の定価と、商品の割引額とが対応付けられている。これらの商品は、イベントへの参加申込を行った参加申込者に対して協賛企業が販売又は提供する商品である。これらの商品は、定価と割引額とが同額である場合、参加申込者に対して無償で提供されてもよい。例えば、図２では、商品「Ａ」と、商品の定価「１０００円」と、商品の割引額「１０００円」が対応付けられている。参加申込者は、販売又は提供された商品（販促品）を、試用することができる。
【００１４】
なお、協賛企業設備１０の管理者等は、参加申込料金の少なくとも一部を、販促費として、参加申込者の代わりに負担することができる。商品の割引額は、協賛企業設備１０の管理者等が販促費として負担する金額に基づいて、定められてもよい。また、エントリーサービス提供装置２０の管理者等は、購入商品の代金として参加申込者から受け取った代金を、協賛企業設備１０の管理者等に支払うことができる。
【００１５】
通信装置１２は、通信部１２０と、記憶部１２１と、制御部１２２とを備える。通信部１２０と制御部１２２とのうち一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００１６】
通信部１２０は、通信回線ＮＴを介して、エントリーサービス提供装置２０との通信を実行する。通信部１２０は、例えば、ＨＴＴＰ（Hyper Text Transfer Protocol）や、ＦＴＰ（File Transfer Protocol）などの通信プロトコルに基づいて、エントリーサービス提供装置２０との通信を実行する。
【００１７】
記憶部１２１は、例えば、ＲＯＭ（Read Only Memory）、フラッシュメモリ、ＨＤＤなどの不揮発性の記憶媒体（非一時的な記憶媒体）を有する。記憶部１２１は、例えば、ＲＡＭ（Random Access Memory）やレジスタなどの揮発性の記憶媒体を有していてもよい。記憶部１２１は、ソフトウェア機能部を動作させるためのプログラムを記憶してもよい。
【００１８】
エントリーサービス提供装置２０の構成を説明する。
エントリーサービス提供装置２０は、イベントへの参加申込（エントリー）を受け付けるサービスを提供する装置である。エントリーサービス提供装置２０は、例えば、イベント・プロモーション業務をサポートする事業者によって管理される。
【００１９】
エントリーサービス提供装置２０は、データベース２１と、サーバ装置２２とを備える。データベース２１は、性別データテーブルと、年齢データテーブルと、地域データテーブルと、趣味データテーブルと、参加申込料金データテーブルと、参加申込用画像（図８を用いて後述する）と、商品選択用画像（図１０等を用いて後述する）とを予め記憶する。
【００２０】
データベース２１は、情報端末３０から送信された参加申込信号をサーバ装置２２が受信した場合、参加申込者データテーブル（図９を用いて後述する）を記憶する。参加申込信号とは、参加申込者の属性情報を含む信号である。データベース２１は、情報端末３０から送信された購入申込信号をサーバ装置２２が受信した場合、購入商品データテーブル（図１９を用いて後述する）を記憶する。購入申込信号とは、購入商品を表す情報を含む信号である。
【００２１】
図３は、第１の実施形態における、性別データテーブルの図である。性別データテーブルでは、情報端末３０を操作する参加申込者の性別と、商品とが対応付けられている。図３では、例えば、性別「男」と、商品「Ａ」とが対応付けられている。
【００２２】
図４は、第１の実施形態における、年齢データテーブルの図である。年齢データテーブルでは、情報端末３０を操作する参加申込者の年齢と、商品とが対応付けられている。図４では、例えば、年齢「３０〜３９」歳と、商品「Ｂ」とが対応付けられている。
【００２３】
図５は、第１の実施形態における、地域データテーブルの図である。地域データテーブルでは、情報端末３０を操作する参加申込者の住所が属する地域と、商品とが対応付けられている。図５では、例えば、地域「ＡＤ１」と、商品「Ｃ」とが対応付けられている。以下、地域「ＡＤ１」は、住所「ＡＤ１１」が属する地域であるものとする。
【００２４】
図６は、第１の実施形態における、趣味データテーブルの図である。地域データテーブルでは、情報端末３０を操作する参加申込者の趣味と、商品とが対応付けられている。図６では、例えば、趣味「旅行」と、商品「Ｄ」とが対応付けられている。
【００２５】
図７は、第１の実施形態における、参加申込料金データテーブルの図である。参加申込料金データテーブルでは、参加申込の対象となるイベントと、参加申込料金（エントリー料）とが対応付けられている。図７では、例えば、イベント「Ａ１」と、参加申込料金「５０００」円とが対応付けられている。
【００２６】
サーバ装置２２は、通信部２２１と、記憶部２２２と、制御部２２３とを備える。制御部２２３は、割引額算出部２２３ａと、判定部２２３ｂと、支払合計額算出部２２３ｃと、提示部２２３ｄとを備える。
【００２７】
通信部２２１（送信部、受信部）は、通信回線ＮＴを介して、協賛企業設備１０との通信を実行する。通信部２２１は、通信回線ＮＴを介して、情報端末３０との通信を実行する。通信部２２１は、例えば、ＨＴＴＰや、ＦＴＰなどの通信プロトコルに基づいて、協賛企業設備１０や情報端末３０との通信を実行する。
【００２８】
通信部２２１は、割引額算出部２２３ａが算出した割引額の合計を表す信号と、支払合計額算出部２２３ｃが算出した支払合計額を表す信号とを、情報端末３０に送信する。これにより、通信部２２１は、割引額の合計と支払合計額とを、参加申込の手続きが完了する前に情報端末３０に表示させる。
【００２９】
記憶部２２２は、例えば、フラッシュメモリ、ＨＤＤなどの不揮発性の記憶媒体（非一時的な記憶媒体）を有する。記憶部２２２は、例えば、ＲＡＭ（Random Access Memory）やレジスタなどの揮発性の記憶媒体を有していてもよい。記憶部２２２は、ソフトウェア機能部を動作させるためのプログラムを記憶してもよい。
【００３０】
図８は、第１の実施形態における、参加申込用画像の図である。参加申込用画像とは、商品を選択した参加申込者を特定する情報を、その参加申込者が操作する情報端末３０から取得するための画像である。提示部２２３ｄは、参加申込用画像を、通信部２２１を介して情報端末３０に送信する。これにより、参加申込用画像は、情報端末３０に表示される。
【００３１】
参加申込者は、自身を特定する情報を、情報端末３０に表示された参加申込用画像を介して、入力することができる。商品を選択した参加申込者を特定する情報は、例えば、参加申込者の属性情報である。例えば、参加申込者の属性情報は、参加申込者の氏名と、性別と、年齢と、住所と、趣味とである。
【００３２】
図８では、参加申込用画像は、イベントＡ１を選択するためのラジオボタンＲ１と、イベントＡ１の写真画像ＰＴ１と、イベント名を表す文字列「イベントＡ１」と、イベントＡ１の参加料金を表す文字列及び数字列とを含む。参加申込用画像は、イベントＡ２を選択するためのラジオボタンＲ２と、イベントＡ２の写真画像ＰＴ２と、イベント名を表す文字列「イベントＡ２」と、イベントＡ２の参加料金を表す文字列及び数字列とを含む。参加申込用画像は、イベントＡ３を選択するためのラジオボタンＲ３と、イベントＡ３の写真画像ＰＴ３と、イベント名を表す文字列「イベントＡ３」と、イベントＡ３の参加料金を表す文字列及び数字列とを含む。
【００３３】
図８では、参加申込用画像は、参加申込者の属性情報を入力するための領域として、氏名入力領ＮＭと、性別入力領域ＪＥと、年齢入力領域ＹＲと、住所入力領域ＡＤと、趣味入力領域ＨＢとを含む。また、参加申込用画像は、送信操作キー画像ＳＤと、戻り操作キー画像ＰＲとを含む。情報端末３０は、送信操作キー画像ＳＤが押下操作された場合、参加申込者の属性情報を含む参加申込信号を、サーバ装置２２に送信する。
【００３４】
図９は、第１の実施形態における、参加申込者データテーブルの図である。通信部２２１は、参加申込信号を情報端末３０から受信する。参加申込者データテーブルとは、参加申込者の属性情報を含むデータテーブルである。制御部２２３は、参加申込者に識別番号を付与する。参加申込者データテーブルでは、参加申込者の氏名と、性別と、年齢と、住所と、趣味とが対応付けられている。図９では、参加申込者の氏名「ＮＭ１」と、性別「男」と、年齢「３０」と、住所「ＡＤ１１」と、趣味「旅行」とが対応付けられている。
【００３５】
図１０は、第１の実施形態における、商品選択用画像（初期画面）を表す図である。商品選択用画像とは、参加申込者が選択したイベントへの参加を、参加申込者が申し込むための表示画像である。提示部２２３ｄは、商品選択用画像を、通信部２２１を介して情報端末３０に送信する。これにより、商品選択用画像は、情報端末３０に表示される。
【００３６】
この参加申込の際に、参加申込者は、イベントの協賛企業が販売又は提供する商品を、商品選択用画像を介して選択することができる。この場合、参加申込者が操作する情報端末３０は、サーバ装置２２が提供していないウェブサイトにわざわざアクセスする必要はない。
【００３７】
図１０では、商品選択用画像は、図８に示す参加申込用画像を介して参加申込者が選択したイベントＡ１への参加を申し込むための表示画像である。図１０では、商品選択用画像は、イベントＡ１の写真画像ＰＴ１と、説明文表示領域ＳＴと、参加申込料金表示領域ＥＮと、合計額表示領域ＴＬと、購入操作キー画像ＢＵとを含む。
【００３８】
図１０では、商品選択用画像は、商品名Ａと、商品Ａの定価を表す数字列及び文字１０００円と、商品Ａの割引額を表す数字列及び文字１０００円と、商品Ａの商品外観画像ＣＰ１と、商品Ａを選択するためのラジオボタンＲＤ１とを含む。商品選択用画像は、商品名Ｂと、商品Ｂの定価を表す数字列及び文字１５００円と、商品Ｂの割引額を表す数字列及び文字９００円と、商品Ｂの商品外観画像ＣＰ２と、商品Ｂを選択するためのラジオボタンＲＤ２とを含む。
【００３９】
商品選択用画像は、商品名Ｃと、商品Ｃの定価を表す数字列及び文字１８００円と、商品Ｃの割引額を表す数字列及び文字５００円と、商品Ｃの商品外観画像ＣＰ３と、商品Ｃを選択するためのラジオボタンＲＤ３とを含む。商品選択用画像は、商品名Ｄと、商品Ｄの定価を表す数字列及び文字１２００円と、商品Ｄの割引額を表す数字列及び文字８００円と、商品Ｄの商品外観画像ＣＰ４と、商品Ｄを選択するためのラジオボタンＲＤ４とを含む。
【００４０】
商品選択用画像に列挙される商品は、図２に示す商品データテーブルに含まれている商品である。提示部２２３ｄは、商品データテーブルに含まれている全ての商品を、商品選択用画像に列挙してもよい。
【００４１】
また、提示部２２３ｄは、商品データテーブルに含まれている全ての商品から、商品選択用画像に列挙する商品を抽出し、抽出した商品を商品選択用画像に列挙してもよい。提示部２２３ｄは、図３〜図６のそれぞれに示すデータテーブルに含まれている情報と、参加申込者の属性情報との一致に応じて、商品選択用画像に列挙する商品を抽出する。
【００４２】
これにより、エントリーサービス提供装置２０は、参加申込者の属性等に応じた商品を、その参加申込者に販売又は提供することができる。つまり、協賛企業設備１０の管理者等は、参加申込者の属性等に応じた商品を、その参加申込者に販売又は提供することができる。図１０では、図９に示す識別番号０００１の参加申込者の情報端末３０に表示される商品選択用画像において、その参加申込者の属性等に応じた商品名Ａ〜商品名Ｄが列挙されている。
【００４３】
参加申込者は、列挙されている商品名Ａ〜商品名Ｄから、ラジオボタンＲＤ１に対応付けられている商品名Ａを、ラジオボタンＲＤ１をクリック操作等することにより、選択することができる。ラジオボタンＲＤ１がクリック操作等された場合、情報端末３０は、商品Ａが購入商品として選択されたことを表す選択商品信号を、サーバ装置２２に送信する。商品名Ｂ〜商品名Ｄについても同様である。
【００４４】
図１１は、第１の実施形態における、商品選択用画像を表す図である。商品選択用画像は、情報端末３０に表示される。割引額算出部２２３ａは、１個以上の商品から選択された商品に応じて、選択された商品の割引額の合計を算出する。判定部２２３ｂは、割引額の合計（エントリー料割引額）が参加申込料金（エントリー料）を超えているか否かを判定する。
【００４５】
支払合計額算出部２２３ｃは、商品の割引額の合計が参加申込料金を超えていない場合、選択された商品の定価の総額と、参加申込料金との合計から、商品の割引額の合計を減算した額を、支払合計額として算出する。一方、支払合計額算出部２２３ｃは、商品の割引額の合計が参加申込料金を超えている場合、選択された商品の定価の総額を、支払合計額として算出する。
【００４６】
提示部２２３ｄは、商品選択用画像を、通信部２２１を介して情報端末３０に送信する。この商品選択用画像は、割引額の合計を表す信号と、支払合計額を表す信号とを含む。これにより、割引額の合計と支払合計額とが記載された商品選択用画像は、情報端末３０に表示される。
【００４７】
図１２は、第１の実施形態における、商品選択用画像を表す図である。割引額算出部２２３ａは、図１１に示す場合と同様に、割引額の合計を更新する。支払合計額算出部２２３ｃは、図１１に示す場合と同様に、支払合計額を更新する。提示部２２３ｄは、商品選択用画像を、通信部２２１を介して情報端末３０に送信する。この商品選択用画像は、更新された割引額の合計を表す信号と、更新された支払合計額を表す信号とを含む。これにより、更新された割引額の合計と、更新された支払合計額とが記載された商品選択用画像は、情報端末３０に表示される。
【００４８】
図１３は、第１の実施形態における、購入商品データテーブルの図である。通信部２２１は、購入申込信号を情報端末３０から受信する。図１３に示す購入商品データテーブルは、図９に示す参加申込者データテーブルに、購入申込信号に含まれている購入商品を表す情報が付加されたデータテーブルである。図１３では、参加申込者に選択されて最終的に購入された商品として、購入商品「Ａ」と購入商品「Ｃ」とが、識別番号「０００１」に対応付けられている。
【００４９】
情報端末３０の構成を説明する。
情報端末３０は、参加申込者によって操作される端末である。参加申込者は、情報端末３０を操作することにより、エントリーサービス提供装置２０が提供するエントリーサービスサイトにアクセスして、イベントへの参加を申し込むことができる。情報端末３０は、例えば、パーソナルコンピュータ、スマートフォン端末、タブレット端末、又は携帯電話端末である。
【００５０】
情報端末３０は、通信部３１と、操作部３２と、記憶部３３と、制御部３４と、表示部３５とを備える。通信部３１と制御部３４とのうち一部または全部は、例えば、ＣＰＵ等のプロセッサが、記憶部に記憶されたプログラムを実行することにより機能するソフトウェア機能部である。また、これらの機能部のうち一部または全部は、ＬＳＩやＡＳＩＣ等のハードウェア機能部であってもよい。
【００５１】
通信部３１（送信部、受信部）は、通信回線ＮＴを介して、エントリーサービス提供装置２０との通信を実行する。通信部２２１は、例えば、ＨＴＴＰや、ＦＴＰなどの通信プロトコルに基づいて、協賛企業設備１０や情報端末３０との通信を実行する。
【００５２】
操作部３２は、参加申込者による操作を受け付ける。操作部３２は、例えば、キーボード、マウスや、タッチパネルである。タッチパネルは、表示部３５に表示された操作キー画像に対する押下操作を検出する。
【００５３】
記憶部３３は、例えば、フラッシュメモリ、ＨＤＤなどの不揮発性の記憶媒体（非一時的な記憶媒体）を有する。記憶部２２２は、例えば、ＲＡＭやレジスタなどの揮発性の記憶媒体を有していてもよい。記憶部２２２は、ソフトウェア機能部を動作させるためのプログラムを記憶してもよい。
【００５４】
記憶部３３は、情報端末３０を識別するための識別情報を記憶してもよい。情報端末３０を識別するための識別情報は、例えば、ＩＰアドレス（Internet Protocol address）である。記憶部３３は、エントリーサービス提供装置２０から送信されたチケット信号（後述する）を記憶してもよい。
【００５５】
制御部３４は、情報端末３０の各部を制御する。制御部３４は、操作に応じた信号を操作部３２から受信する。制御部３４は、操作に応じた信号に応じて、要求信号、参加申込信号、又は購入申込信号を、通信部３１を介して、エントリーサービス提供装置２０に送信する。
【００５６】
表示部３５は、表示装置である。表示部３５は、例えば、液晶パネルなどの表示画面を有する。表示部３５の表示画面は、操作部３２がタッチパネルである場合、操作部３２と一体でもよい。表示部３５は、通信部３１が受信した参加申込用画像（図８を参照）や商品選択用画像（図８、図１０〜図１２を参照）を、制御部３４による制御に基づいて、参加申込の手続きが完了する前に表示する。
【００５７】
次に、エントリーサービス提供システム１の動作を説明する。
図１４は、第１の実施形態における、商品データテーブルを事前に登録する動作を表す図である。
通信装置１２は、データベース１１にアクセスする（ステップＳ１０１）。
通信装置１２は、商品データテーブルを、データベース１１から取得する（ステップＳ１０２）。
通信装置１２は、取得した商品データテーブルを、サーバ装置２２に送信する（ステップＳ１０３）。
サーバ装置２２は、商品データテーブルを、データベース２１に登録する（ステップＳ１０４）。
【００５８】
図１５は、第１の実施形態における、エントリーサービス提供装置２０が支払合計額をして算出する場合のエントリーサービス提供システム１の動作を表す図である。
情報端末３０は、要求信号をサーバ装置２２に送信する（ステップＳ２０１）。
サーバ装置２２は、データベース２１にアクセスする（ステップＳ２０２）。
サーバ装置２２は、参加申込用画像（図８等を参照）をデータベース２１から取得する（ステップＳ２０３）。
サーバ装置２２は、参加申込用画像を情報端末３０に送信する（ステップＳ２０４）。
【００５９】
情報端末３０は、参加申込信号をサーバ装置２２に送信する（ステップＳ２０５）。
サーバ装置２２は、データベース２１にアクセスする（ステップＳ２０６）。
サーバ装置２２は、商品選択用画像（図１０等を参照）をデータベース２１から取得する（ステップＳ２０７）。
サーバ装置２２は、商品選択用画像を情報端末３０に送信する（ステップＳ２０８）。
【００６０】
情報端末３０は、操作部３２を介した操作に応じて、選択商品信号をサーバ装置２２に送信する。サーバ装置２２は、受信した選択商品信号に応じて、商品選択用画像（図１１等を参照）を情報端末３０に送信する。情報端末３０は、合計額表示領域ＴＬに支払合計額が記載された商品選択用画像を表示する（ステップＳ２０９）。
情報端末３０は、操作キー画像ＢＵに対する押下操作に応じて、購入申込信号をサーバ装置２２に送信する（ステップＳ２１０）。ステップＳ２０９とステップＳ２１０の詳細については、図１６を用いて後述する。
【００６１】
サーバ装置２２は、チケット信号を情報端末３０に送信する。これにより、参加申込の手続きは完了する。チケット信号には、イベントへの参加申し込みを受け付けた旨を表す確認情報と、イベント会場への入場を可能とするチケットを表す情報とが含まれている（ステップＳ２１１）。
【００６２】
サーバ装置２２は、購入申込信号に含まれている情報（図１３を参照）を、データベース２１に記憶させる（ステップＳ２１２）。購入申込信号に含まれている情報は、支払合計額の支払いに必要な情報を含んでいてもよい。支払いに必要な情報は、例えば、クレジットカード番号である。支払いに必要な情報は、暗号化されていてもよい。
【００６３】
サーバ装置２２は、購入申込信号を、通信装置１２に転送する（ステップＳ２１３）。
通信装置１２は、購入申込信号に含まれている情報（図１３を参照）を、データベース２１に記憶させる（ステップＳ２１４）。
【００６４】
通信装置１２は、通信回線ＮＴを介して、情報端末３０に購入商品を送信する（ステップＳ２１５）。通信回線ＮＴを介して送信される購入商品は、コンテンツデータなどの電子情報である。コンテンツデータは、例えば、参加申込者が参加を申し込んだライブイベントのアーティストによる音楽などを収録した音楽データや、参加申込者が参加を申し込んだイベントで試写される映画などの予告動画データ及び音声データである。また、通信装置１２は、購入商品が物品である場合には、参加申込者の住所宛に購入商品を発送するための発注情報を、所定の業者に送信してもよい。これにより、購入商品は、参加申込者の住所に届けられる。
【００６５】
図１６は、第１の実施形態における、エントリーサービス提供装置２０が支払合計額をして算出する場合のサーバ装置２２の動作を表す図である。
制御部２２３は、選択商品信号を受信したか否かを判定する（ステップＳ３０１）。選択商品信号を受信した場合（ステップＳ３０１：ＹＥＳ）、通信部２２１は、商品選択用画像（図１１等を参照）を、情報端末３０に送信する。これにより、サーバ装置２２は、選択された商品の商品名と定価を、情報端末３０の表示部３５の選択商品表示領域ＳＬに表示させる（ステップＳ３０２）。一方、選択商品信号を受信していない場合（ステップＳ３０１：ＮＯ）、制御部２２３は、ステップＳ３１０に処理を進める。
【００６６】
割引額算出部２２３ａは、選択商品信号に応じて、割引額の合計を算出する（ステップＳ３０３）。
判定部２２３ｂは、割引額の合計（エントリー料割引額）が所定の参加申込料金（エントリー料）を超えているか否かを判定する（ステップＳ３０４）。割引額の合計が所定の参加申込料金を超えていない場合（ステップＳ３０４：ＮＯ）、通信部２２１は、その割引額の合計を表示するための情報が含まれた商品選択用画像を、情報端末３０に送信する（ステップＳ３０５）。これにより、サーバ装置２２は、その割引額の合計（エントリー料割引額）を、情報端末３０の割引額表示領域ＤＳに表示させる。
支払合計額算出部２２３ｃは、選択された商品の定価の総額と参加申込料金との合計から、割引額の合計を減算した額を、支払合計額として算出する（ステップＳ３０６）。
【００６７】
ステップＳ３０４において、割引額の合計が所定の参加申込料金を超えている場合（ステップＳ３０４：ＹＥＳ）、通信部２２１は、参加申込料金と同じ金額を割引額の合計として表示するための情報が含まれた商品選択用画像を、情報端末３０に送信する（ステップＳ３０７）。これにより、サーバ装置２２は、参加申込料金と同じ金額を、割引額の合計として、情報端末３０の割引額表示領域ＤＳに表示させる。つまり、割引額の合計（エントリー料割引額）の上限金額は、参加申込料金（エントリー料）と同じ金額に定められている。
支払合計額算出部２２３ｃは、選択された商品の定価の総額を、支払合計額として算出する（ステップＳ３０８）。
【００６８】
通信部２２１は、割引額の合計と支払合計額とを表示するための情報が含まれた商品選択用画像を、情報端末３０に送信する。これにより、サーバ装置２２は、情報端末３０の合計額表示領域ＴＬに、参加申込の手続きが完了する前に支払合計額を表示させる（ステップＳ３０９）。表示するための情報は、例えば、スクリプト言語によって記述される。
【００６９】
制御部２２３は、購入申込信号を受信したか否かを判定する（ステップＳ３１０）。購入申込信号を受信していない場合（ステップＳ３１０：ＮＯ）、制御部２２３は、ステップＳ３０１に処理を戻す。購入申込信号を受信していない場合（ステップＳ３１０：ＮＯ）、制御部２２３は、図１６に示す処理を終了する。その後、購入申込信号に含まれている情報（図１３を参照）は、データベース１１とデータベース２１に記憶される。
【００７０】
以上のように、第１の実施形態のエントリーサービス提供装置２０は、割引額算出部２２３ａと、判定部２２３ｂと、支払合計額算出部２２３ｃと、通信部２２１（送信部）とを備える。割引額算出部２２３ａは、１個以上の商品から選択された商品に応じて、選択された商品の割引額の合計を算出する。判定部２２３ｂは、割引額の合計（エントリー料割引額）が所定の参加申込料金（エントリー料）を超えているか否かを判定する。支払合計額算出部２２３ｃは、割引額の合計が参加申込料金を超えていない場合、選択された商品の定価の総額と、参加申込料金との合計から、割引額の合計を減算した額を、支払合計額として算出し、割引額の合計が参加申込料金を超えている場合、選択された商品の定価の総額を、支払合計額として算出する。通信部２２１は、割引額の合計と支払合計額とを参加申込の手続きが完了する前に情報端末３０に表示させるための情報を、情報端末３０に送信する。
これによって、第１の実施形態のエントリーサービス提供装置２０は、参加申込者にとってイベントへの参加を申し込む動機を高めることができる。
【００７１】
また、参加申込者は、購入した商品に応じて、参加申込料金を安くすることができる。第１の実施形態のエントリーサービス提供装置２０は、参加申込の手続きが完了する前に、参加申込料金を安く見せることができるので、イベントへの参加を申し込む参加申込者を増やすことができる。また、参加申込者は、一度に複数人の参加を申し込んでもよい。また、協賛企業設備の管理者等は、参加申込者に関する情報（属性情報等）をエントリーサービス提供システム１から取得することができるので、ＡＭＴＵＬモデルにおけるトライアルユース層（試用層）を、効率的に獲得することができる。
【００７２】
第１の実施形態のエントリーサービス提供装置２０は、通信部２２１（受信部）を備える。通信部２２１は、商品を選択した参加申込者を特定する情報と、選択された商品を表す情報とを受信する。
通信部２２１は、商品を選択した参加申込者を特定する情報に応じて、商品を表す情報を情報端末３０に送信する。
これにより、第１の実施形態のエントリーサービス提供装置２０は、参加申込者の属性等に応じた商品を、参加申込者に販売又は提供することができる。協賛企業設備１０の管理者等は、ＡＭＴＵＬモデルにおけるトライアルユース層（試用層）を、より効率的に獲得することができる。
【００７３】
第１の実施形態のエントリーサービス提供システム１は、エントリーサービス提供装置２０と、情報端末３０とを備える。情報端末３０は、通信部３１と、表示部３５とを有する。通信部３１（受信部）は、割引額の合計を表す信号と、支払合計額を表す信号とを受信する。表示部３５は、通信部３１によって受信された割引額の合計と支払合計額とを、参加申込の手続きが完了する前に表示する。
【００７４】
（第２の実施形態）
第２の実施形態では、エントリーサービス提供装置２０の代わりに情報端末３０が支払合計額を算出する点が、第１の実施形態と相違する。第２の実施形態では、第１の実施形態との相違点についてのみ説明する。
【００７５】
図１７は、第２の実施形態における、エントリーサービス提供システム１の図である。  情報端末３０は、通信部３１と、操作部３２と、記憶部３３と、制御部３４と、表示部３５とを備える。制御部３４は、エントリーサービス提供装置２０の制御部２２３の代わりに、支払合計額を算出する。制御部３４は、割引額算出部３４ａと、判定部３４ｂと、支払合計額算出部３４ｃと、提示部３４ｄとを備える。
【００７６】
割引額算出部３４ａは、１個以上の商品から選択された商品に応じて、選択された商品の割引額の合計を算出する。判定部３４ｂは、割引額の合計（エントリー料割引額）が参加申込料金（エントリー料）を超えているか否かを判定する。
【００７７】
支払合計額算出部３４ｃは、商品の割引額の合計が参加申込料金を超えていない場合、選択された商品の定価の総額と、参加申込料金との合計から、商品の割引額の合計を減算した額を、支払合計額として算出する。一方、支払合計額算出部３４ｃは、商品の割引額の合計が参加申込料金を超えている場合、選択された商品の定価の総額を、支払合計額として算出する。
【００７８】
提示部３４ｄは、割引額の合計と支払合計額とを記載した商品選択用画像を、参加申込の手続きが完了する前に、表示部３５に送信する。これにより、図１１等に示す商品選択用画像は、参加申込の手続きが完了する前に、表示部３５に表示される。
【００７９】
図１８は、第２の実施形態における、情報端末３０が支払合計額を算出する場合のエントリーサービス提供システム１の動作を表す図である。
情報端末３０は、アプリ要求信号を、サーバ装置２２に送信する（ステップＳ４０１）。
サーバ装置２２は、データベース２１にアクセスする（ステップＳ４０２）。
サーバ装置２２は、イベントへの参加申込を行うためのアプリケーションソフトウェアを、データベース２１から取得する（ステップＳ４０３）。
情報端末３０は、アプリケーションソフトウェアをサーバ装置２２からダウンロードして、情報端末３０にインストールする（ステップＳ４０４）。
【００８０】
なお、このアプリケーションソフトウェアの事前のダウンロードとインストールは、必須ではない。このアプリケーションソフトウェアの事前のダウンロードを実行していない場合、情報端末３０は、例えば、スクリプト言語を用いて記述されたプログラムを実行してもよい。
【００８１】
ステップＳ４０５〜Ｓ４１２は、第１の実施形態の図１５に示すステップＳ２０１〜Ｓ２０８と同様である。
情報端末３０は、商品選択用画像の合計額表示領域ＴＬに、支払合計額を表示する（ステップＳ４１３）。
【００８２】
情報端末３０は、操作キー画像ＢＵに対する押下操作に応じて、購入申込信号をサーバ装置２２に送信する（ステップＳ４１４）。ステップＳ４１３とステップＳ４１４の詳細については、図１９を用いて後述する。
ステップＳ４１５〜Ｓ４１９は、第１の実施形態の図１５に示すステップＳ２１１〜Ｓ２１５と同様である。
【００８３】
図１９は、第２の実施形態における、情報端末３０が支払合計額を算出する場合の情報端末の動作を表す図である。
制御部３４は、商品が選択されたか否かを判定する。すなわち、制御部３４は、ラジオボタンＲＤ１〜ＲＤ４の少なくとも一つが選択されたか否かを判定する（ステップＳ５０１）。
商品が選択された場合（ステップＳ５０１：ＹＥＳ）、制御部３４は、ステップＳ５０２に処理を進める。商品が選択されていない場合（ステップＳ５０１：ＮＯ）、制御部３４は、ステップＳ５１０に処理を進める。
【００８４】
ステップＳ５０２〜ステップＳ５０９は、第１の実施形態の図１６に示すステップＳ３０２〜ステップＳ３０９と同様である。
制御部３４は、購入操作キー画像ＢＵが操作されたか否かを判定する（ステップＳ５１０）。購入操作キー画像ＢＵが操作されていない場合（ステップＳ５１０：ＮＯ）、制御部３４は、ステップＳ５０１に処理を戻す。購入操作キー画像ＢＵが操作された場合（ステップＳ５１０：ＹＥＳ）、通信部３１は、購入申込信号を、サーバ装置２２に送信する（ステップＳ５１１）。これにより、購入申込信号に含まれている情報（図１３を参照）は、データベース１１とデータベース２１に記憶される。制御部３４は、図１９に示す処理を終了する。
【００８５】
以上のように、第２の実施形態のエントリーサービス提供プログラムは、コンピュータに、割引額の合計を算出する手順と、判定する手順と、支払合計額を算出する手順と、表示する手順とを実行させる。割引額の合計を算出する手順では、情報端末３０の制御部３４は、１個以上の商品から選択された商品に応じて、選択された商品の割引額の合計を算出する。判定する手順では、情報端末３０の制御部３４は、割引額の合計（エントリー料割引額）が所定の参加申込料金（エントリー料）を超えているか否かを判定する。支払合計額を算出する手順では、情報端末３０の制御部３４は、割引額の合計が参加申込料金を超えていない場合、選択された商品の定価の総額と、参加申込料金との合計から、割引額の合計を減算した額を、支払合計額として算出し、割引額の合計が参加申込料金を超えている場合、選択された商品の定価の総額を、支払合計額として算出する。表示する手順では、情報端末３０の表示部３５は、割引額の合計と支払合計額とを、参加申込の手続きが完了する前に表示する。
これによって、第２の実施形態のエントリーサービス提供装置２０は、参加申込者にとってイベントへの参加を申し込む動機を高めることができる。
【００８６】
また、参加申込者は、購入した商品に応じて参加申込料金を安くすることができる。第２の実施形態のエントリーサービス提供装置２０は、参加申込の手続きが完了する前に、参加申込料金を安く見せることができるので、イベントへの参加を申し込む参加申込者を増やすことができる。また、参加申込者は、一度に複数人の参加を申し込んでもよい。また、協賛企業設備１０の管理者等は、参加申込者に関する情報（属性情報等）をエントリーサービス提供システム１から取得することができるので、ＡＭＴＵＬモデルにおけるトライアルユース層（試用層）を、効率的に獲得することができる。
【００８７】
以上述べた少なくともひとつの実施形態のエントリーサービス提供装置２０によれば、割引額の合計と支払合計額とを参加申込の手続きが完了する前に情報端末３０に表示させるための情報を、情報端末３０に送信する通信部２２１を備えることにより、参加申込者にとってイベントへの参加を申し込む動機を高めることができる。
【００８８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８９】
１…エントリーサービス提供システム、１０…協賛企業設備、１１…データベース、１２…通信装置、２０…エントリーサービス提供装置、２１…データベース、２２…サーバ装置、３０…情報端末、３１…通信部、３２…操作部、３３…記憶部、３４…制御部、３４ａ…割引額算出部、３４ｂ…判定部、３４ｃ…支払合計額算出部、３４ｄ…提示部、３５…表示部、１２０…通信部、１２１…記憶部、１２２…制御部、２２１…通信部、２２２…記憶部、２２３…制御部、２２３ａ…割引額算出部、２２３ｂ…判定部、２２３ｃ…支払合計額算出部、２２３ｄ…提示部、ＡＤ…住所入力領域、ＢＵ…購入操作キー画像、ＣＰ１…商品外観画像、ＣＰ２…商品外観画像、ＣＰ３…商品外観画像、ＣＰ４…商品外観画像、ＤＳ…割引額表示領域、ＥＮ…参加申込料金表示領域、ＨＢ…趣味入力領域、ＪＥ…性別入力領域、ＮＭ…氏名入力領域、ＮＴ…通信回線、ＰＲ…戻り操作キー画像、ＰＴ１…写真画像、ＰＴ２…写真画像、ＰＴ３…写真画像、Ｒ１…ラジオボタン、Ｒ２…ラジオボタン、Ｒ３…ラジオボタン、ＲＤ１…ラジオボタン、ＲＤ２…ラジオボタン、ＲＤ３…ラジオボタン、ＲＤ４…ラジオボタン、ＳＤ…送信操作キー画像、ＳＬ…選択商品表示領域、ＳＴ…説明文表示領域、ＴＬ…合計額表示領域、ＹＲ…年齢入力領域
【図１】
2016058031.tif 000003
【図２】
2016058031.tif 000004
【図３】
2016058031.tif 000005
【図４】
2016058031.tif 000006
【図５】
2016058031.tif 000007
【図６】
2016058031.tif 000008
【図７】
2016058031.tif 000009
【図８】
2016058031.tif 000010
【図９】
2016058031.tif 000011
【図１０】
2016058031.tif 000012
【図１１】
2016058031.tif 000013
【図１２】
2016058031.tif 000014
【図１３】
2016058031.tif 000015
【図１４】
2016058031.tif 000016
【図１５】
2016058031.tif 000017
【図１６】
2016058031.tif 000018
【図１７】
2016058031.tif 000019
【図１８】
2016058031.tif 000020
【図１９】
2016058031.tif 000021